(57)【要約】【課題】良好な受信感度が得られる時計を提供する。【解決手段】電波時計１は、風防ガラス１１２を有する風防１１０と、風防１１０に対向配置される裏蓋１２０と、風防１１０および裏蓋１２０の外周縁同士を連結するとともに、非磁性部材にて形成される胴部１３０と、風防１１０および裏蓋１２０の間に形成される空間に配設されるとともに、時刻情報を有する標準電波を受信可能なアンテナ２００と、このアンテナ２００により受信された標準電波の時刻情報に基づいて、時刻を設定し、指針１７０を運針させる制御をする駆動制御回路部と、この駆動制御回路部により駆動制御されるステッピングモータにより駆動されて、時刻を表示する指針１７０と、を具備した。【選択図】図１
2009008496.tif 000002
【特許請求の範囲】
【請求項１】
風防ガラス、およびこの風防ガラスの外周縁を保持するガラス保持部を有する風防と、
前記風防に対向配置される裏蓋と、
前記風防および前記裏蓋の外周縁同士を連結するとともに、少なくとも一部が非磁性部材にて形成される略環状の胴部と、
前記風防および前記裏蓋の間に形成される空間に配設されるとともに、前記胴部の非磁性部材を通過して胴部内に到達する電波を受信可能なアンテナと、
前記風防および前記裏蓋の間に形成される空間に配設されるとともに、時刻を表示する時刻表示部を有する時計体と、
を具備したことを特徴とする時計。
【請求項２】
請求項１に記載の時計であって、
前記胴部の非磁性部材は、前記胴部の周方向に沿って環状に形成されている
ことを特徴とする時計。
【請求項３】
請求項１または請求項２に記載の時計において、
前記胴部は、非磁性部材であるガラスにより形成された
ことを特徴とする時計。
【請求項４】
請求項１から請求項３のいずれかに記載の時計において、
前記裏蓋は、板状の非磁性部材と、この非磁性部材の外周縁を保持する保持部とを備えた
ことを特徴とする時計。
【請求項５】
請求項１から請求項４のいずれかに記載の時計において、
前記時計体の時刻表示部は、指針および文字板を備え、
前記文字板は、非磁性部材にて形成されている
ことを特徴とする時計。
【請求項６】
請求項１から請求項５のいずれかに記載の時計において、
前記時計体を操作する操作部を備え、
前記風防の前記ガラス保持部または前記裏蓋は、前記操作部の軸が挿通される挿通孔を備えた
ことを特徴とする時計。
【請求項７】
請求項６に記載の時計において、
前記操作部は、非磁性部材にて形成された
ことを特徴とする時計。
【発明の詳細な説明】
【技術分野】
【０００１】
本発明は、内部にアンテナが内蔵された時計に関する。
【背景技術】
【０００２】
従来、標準電波を受信して、この受信した標準電波に含まれる時刻情報に基づいて時刻を設定する、いわゆる電波時計が知られている（例えば、特許文献１参照）。
【０００３】
この特許文献１に記載の電波時計は、略筒状で金属製部材により形成された時計ケースと、時計ケースの上方にパッキンを介して取り付けられるガラスと、時計ケースの下方に取り付けられる金属製部材により形成された裏蓋と、時計ケース内部に設けられる電波時計受信機を有するムーブメントと、を備えている。この電波時計では、時計ケースの内周面および裏蓋に凹部が設けられ、この凹部に電気抵抗率が７．００μΩ以下の非磁性部材が係合された構成が採られている。
【０００４】
【特許文献１】特開２００６−２７５５８０号公報
【発明の開示】
【発明が解決しようとする課題】
【０００５】
ところで、上記電波時計では、非磁性部材を一部に設けることで、電波時計受信機近傍での共振現象の乱れを低減する構成が採られているが、時計ケースおよび裏蓋が金属製部材にて形成されているため、十分な受信感度を得ることができないという問題がある。
【０００６】
本発明は、上記問題に鑑みて、良好な受信感度が得られる時計を提供することを目的とする。
【課題を解決するための手段】
【０００７】
本発明の時計は、風防ガラス、およびこの風防ガラスの外周縁を保持するガラス保持部を有する風防と、前記風防に対向配置される裏蓋と、前記風防および前記裏蓋の外周縁同士を連結するとともに、少なくとも一部が非磁性部材にて形成される略環状の胴部と、前記風防および前記裏蓋の間に形成される空間に配設されるとともに、前記胴部の非磁性部材を通過して胴部内に到達する電波を受信可能なアンテナと、前記風防および前記裏蓋の間に形成される空間に配設されるとともに、時刻を表示する時刻表示部を有する時計体と、を具備したことを特徴とする。
【０００８】
この発明によれば、時計は、風防および裏蓋の外周縁同士を連結する胴部の少なくとも一部が非磁性部材により形成されている。そして、風防および裏板の間の空間、すなわち、風防、裏蓋、および胴部により形成されるケースの内部に所定の電波（外部無線情報）を受信可能なアンテナが設けられている。
これにより、胴部の少なくとも一部が非磁性部材により形成されているので、電波は時計側面の非磁性部材部分を通過して時計ケース内に到達でき、この電波を前記アンテナで良好に受信することができ、受信感度を向上させることができる。
さらに、胴部に非磁性部材を設けて時計側面から電波をケース内部に到達させることができるため、裏蓋をガラスなどの非磁性部材により形成し、胴部を金属部材にて形成した腕時計に比べてもアンテナの受信感度を向上させることができる。すなわち、裏蓋をガラスなどの非磁性部材で形成した時計では、電波として例えばＧＰＳの電波を受信する場合、時計を腕に装着した状態では、裏蓋と腕とが接触するためＧＰＳの受信感度を悪化させてしまうという問題がある。また、腕時計のバンドを金属により形成する場合、腕時計を腕から外して裏蓋と金属製のバンドが近接すると、アンテナの受信感度が悪化してしまうという問題もある。これに対して、本発明では、胴部を非磁性部材にて形成するため、腕時計として腕に装着した場合でも、非磁性部材の胴部を腕とが接触せず良好にＧＰＳなどの外部無線情報を受信することができる。また、腕時計のバンドとして金属製バンドを用いた場合でも、腕時計を腕から外した際にこの金属製バンドが胴部に接触することがなく、アンテナの受信感度を良好に維持することができる。したがって、裏蓋を非磁性部材にて形成する構成に比べて、アンテナの受信感度をより良好にすることができる。
なお、アンテナで受信する電波としては、例えば時刻情報を有する標準電波、ＧＰＳの電波、携帯電話の電波などが例示でき、これらの電波に含まれる時刻情報に基づいて時計体（アナログ時計のムーブメント、デジタル表示時計のモジュール）の時刻表示部（アナログ時計では指針および文字板、デジタル表示時計では液晶ディスプレイや有機ＥＬディスプレイなど）にて表示させる時刻を修正することで、正確な時刻を表示できる。
また、時計ケースの側面（胴部）からケース内部に電波を透過させているので、例えば文字板や裏蓋が金属製であってもアンテナで電波を受信できる。このため、電波時計では従来使用が困難であった金属製の文字板を使用することができ、文字板の意匠性も向上できる。
【０００９】
そして、本発明の時計では、前記胴部の非磁性部材は、前記胴部の周方向に沿って環状に形成されていることが好ましい。
この発明によれば、非磁性部材は、胴部の周方向に沿って環状に形成されている。このため、例えば非磁性部材が胴部の周方向に沿ってＣ字状に形成される場合などに比べて径方向への耐久性が良好になり、衝撃などによる破損を良好に防止することができる。
また、時計側面の全周に亘って非磁性部材が配置されるため、どの方向からの電波も透過させることができ、アンテナでの受信感度も向上できる。
【００１０】
また、本発明では、前記胴部は、非磁性部材であるガラスにより形成されることが好ましい。
この発明によれば、胴部がガラスで形成されているため、胴部から内部構造を見せるデザインなど、意匠性に優れた時計を提供することができる。
【００１１】
さらに、本発明の時計では、前記裏蓋は、板状の非磁性部材と、この非磁性部材の外周縁を保持する保持部とを備えることが好ましい。
この発明によれば、裏蓋には、ガラスなどの非磁性部材が設けられているため、アンテナが裏蓋に近接して配置される場合でも、裏蓋においてアンテナに近接する部分を非磁性部材で構成することで、アンテナの近傍に金属などの磁性部材が配置されないため、裏蓋全体が金属製の場合に比べて、電波の受信感度を向上させることができる。
【００１２】
さらには、本発明の時計では、前記時計体の時刻表示部は、指針および文字板を備え、前記文字板は、非磁性部材にて形成されていることが好ましい。
この発明によれば、文字板が非磁性部材にて形成されているので、例えばアンテナが文字板近傍に設けられる場合でも電波の受信が阻害されることがなく、文字板が金属製の場合に比べて受信感度を向上させることができる。
【００１３】
そして、本発明の時計では、前記時計体を操作する操作部を備え、前記風防の前記ガラス保持部または前記裏蓋は、前記操作部の軸が挿通される挿通孔を備えることが好ましい。
この発明によれば、風防のガラス保持部または裏蓋に時計体を操作する操作ボタンやリューズなどの操作部の軸を挿通する挿通孔が設けられている。これにより、胴部に操作部の軸を挿通する挿通孔を形成する必要がなく、胴部をガラスなどで構成した場合でもその強度を維持することができる。
また、風防のガラス保持部は金属などで構成できるため、挿通孔が形成されても十分な強度を確保できる。
なお、裏蓋が、ガラスなどの非磁性部材と、この非磁性部材の外周縁を保持する保持部とで構成されている場合には、前記挿通孔は保持部に形成すればよい。裏蓋の保持部も金属などで構成できるため、挿通孔が形成されても十分な強度を確保できる。
【００１４】
また、本発明の時計では、前記操作部は、非磁性部材にて形成されることが好ましい。
この発明によれば、風防または裏蓋の挿通孔に設けられる上記操作部は、非磁性部材にて形成されている。これにより、アンテナが操作部近傍に配置される場合でも、操作部にて電波受信が阻害されることがない。したがって、アンテナにおける電波の受信感度を良好にすることができる。
【発明を実施するための最良の形態】
【００１５】
以下、本発明の一実施の形態に係る電波時計を図面に基づいて説明する。
図１は、本発明の一実施の形態に係る電波時計の概略を示す側断面図である。
図２は、前記実施の形態の電波時計の外装ケースの概略を示す斜視図である。
図３は、前記実施の形態の電波時計の外装ケースの分解斜視図である。
図４は、前記実施の形態の電波時計の外装ケースの周部における一部を拡大した断面図である。
図５は、前記実施の形態の電波時計の外装ケースの周部の固定構造を示す断面図である。
【００１６】
図１に示すように、本実施の形態の電波時計１は、外装ケース１００と、この外装ケース１００内部に設けられるアンテナ２００と、時計体としてのムーブメント２１０と、を備えている。
【００１７】
外装ケース１００は、風防１１０と、風防１１０に対向配置される裏蓋１２０と、風防１１０および裏蓋１２０により挟持される胴部１３０と、を備えている。
【００１８】
風防１１０は、図１ないし図５に示すように、ガラス保持部としての縁部１１１と、風防ガラス１１２とを備えている。
縁部１１１は、例えば金属製部材などの強度が大きい素材にて、略円環状に形成されている。
この縁部１１１の内周面には、周方向に沿ってガラス載置部１１１Ａが設けられ、その上面側に風防ガラス１１２が載置される。また、縁部１１１の内周面（ガラス保持面１１１Ｂ）と風防ガラス１１２の外周面との間には、パッキン１１３が介在されている。
【００１９】
さらに、縁部１１１の下面（裏蓋１２０側の面）における外周縁側には、胴部１３０を保持する風防側保持部１１１Ｃが形成されている。この風防側保持部１１１Ｃは、裏蓋１２０側に突出する風防側当接片１１１Ｄ（図５参照）と、この風防側当接片１１１Ｄの外周側に形成される風防側保持面１１１Ｅとを備えている。
風防側当接片１１１Ｄは、例えば風防側保持部１１１Ｃの周方向における４箇所に設けられ、胴部１３０の内周面に当接して位置決めしている。風防側当接片１１１Ｄが４個設けられる構成を示すがこれに限定されない。例えば、３個であってもよく、５個以上設けられている構成であってもよく、縁部１１１の周方向に沿って連続形成されているものであってもよい。
また、風防側保持面１１１Ｅには、周方向に略沿って、裏蓋１２０側に開口する溝部としての風防側保持溝１１１Ｆが形成されている。この風防側保持溝１１１Ｆには、例えばゴムなどの合成樹脂部材により形成されて弾性を有する緩衝部材としての風防側パッキン部材１１４が装着されている。この風防側パッキン部材１１４は、例えば断面略円形に形成され、その径寸法が風防側保持溝１１１Ｆの溝幅寸法と略同一寸法に形成されている。これにより、風防側パッキン部材１１４は、軸方向に沿う応力が加わると、軸方向と略直交する方向が風防側保持溝１１１Ｆの溝壁により規制されるため、軸方向に沿う弾性力が増大する。
そして、風防側保持部１１１Ｃは、風防側当接片１１１Ｄを胴部１３０の内周面に当接させて位置決めさせた状態で、風防側パッキン部材１１４を介して、風防側保持面１１１Ｅと裏蓋１２０とにより胴部１３０を挟持することで、胴部１３０を固定している。
【００２０】
そして、縁部１１１の風防側保持部１１１Ｃの内周側には、図５に示すように、下面側に突出する４本の裏蓋固定部１１１Ｇが一体形成されている。これらの裏蓋固定部１１１Ｇは、裏蓋１２０に対向する下面に、固定ネジ孔１１１Ｈが形成されている。そして、これらの裏蓋固定部１１１Ｇは、下面を裏蓋１２０の上面に当接させた状態で、裏蓋１２０の下面側から挿通される止ネジ１５０を固定ネジ孔１１１Ｈに螺合させることにより、裏蓋１２０に固定される。なお、本実施の形態では、裏蓋固定部１１１Ｇが、風防側当接片１１１Ｄに略対向する位置に設けられる構成を示すが、これに限定されず、裏蓋固定部１１１Ｇと風防側当接片１１１Ｄとが対向しない構成であってもよい。また、裏蓋固定部１１１Ｇの数量も４個に限定されず、少なくとも３個以上設けられている構成であればよく、例えば３個であってもよく、５個以上設けられる構成であってもよい。
【００２１】
風防ガラス１１２は、縁部１１１のガラス載置部１１１Ａに載置されて接着される。この際、風防ガラス１１２と、縁部１１１のガラス保持面１１１Ｂとの間には、パッキン１１３が介在されるため、縁部１１１および風防ガラス１１２間からの水の浸入を防止でき、十分な防水性を確保している。
【００２２】
裏蓋１２０は、保持部である略円盤状の裏蓋本体部１２１と、裏蓋本体部１２１に保持されるガラス蓋１２２と、を備えている。
裏蓋本体部１２１は、例えば金属製素材などの強度の大きい素材により形成されている。この裏蓋本体部１２１の略中央部には、略正方形状のガラス保持孔１２１Ａが形成されている。このガラス保持孔１２１Ａにおける上面側端縁には、内方に突出するガラス位置決め片１２１Ｂが形成されている。このガラス位置決め片１２１Ｂの下面側には、ガラス保持孔１２１Ａと略同一形状となる略正方形状のガラス蓋１２２が位置決めされ、例えば接着剤などにより固定されている。また、ガラス保持孔１２１Ａの内周面の下面側には、ガラス蓋１２２の周面を保持するガラス蓋保持面１２１Ｃが形成されている。このガラス蓋保持面１２１Ｃは、パッキン１２３を介してガラス蓋１２２の周面を保持している。
【００２３】
また、裏蓋１２０の上面における外周縁側には、図１、図４および図５に示すように、胴部を保持する裏蓋側保持部１２１Ｄが形成されている。この裏蓋側保持部１２１Ｄは、風防１１０側に突出する裏蓋側当接片１２１Ｅと、この裏蓋側当接片１２１Ｅの外周側に形成される裏蓋側保持面１２１Ｆとを備えている。
裏蓋側当接片１２１Ｅは、裏蓋側保持部１２１Ｄの外周部における周方向に沿って形成されている。この裏蓋側当接片１２１Ｅは、胴部１３０の内周面に当接して、胴部１３０を位置決めする。なお、裏蓋側当接片１２１Ｅは、裏蓋側保持部１２１Ｄの周方向に亘って形成される例を示したが、これに限定されず、例えば風防側当接片１１１Ｄと同様に、裏蓋側保持部１２１Ｄの周方向に沿う例えば４箇所に設けられる構成などとしてもよい。
裏蓋側保持面１２１Ｆは、裏蓋側保持部１２１Ｄの周方向に略沿って、風防１１０側に開口する溝部としての裏蓋側保持溝１２１Ｇを備えている。この裏蓋側保持溝１２１Ｇには、例えばゴムなどの合成樹脂部材により形成されて弾性を有する緩衝部材としての裏蓋側パッキン部材１２４が装着されている。この裏蓋側パッキン部材１２４は、風防側パッキン部材１１４と同様に、例えば断面略円形に形成され、その径寸法が裏蓋側保持溝１２１Ｇの溝幅寸法と略同一寸法に形成されている。これにより、裏蓋側パッキン部材１２４は、軸方向に沿う応力が加わると、軸方向と略直交する方向が裏蓋側保持溝１２１Ｇの溝壁により規制されるため、軸方向に沿う弾性力が増大する。
そして、裏蓋側保持部１２１Ｄは、裏蓋側当接片１２１Ｅを胴部１３０の内周面に当接させて位置決めさせた状態で、裏蓋側パッキン部材１２４を介して、裏蓋側保持面１２１Ｆと風防１１０の風防側保持面１１１Ｅとにより胴部１３０を挟持することで、胴部１３０を固定している。
【００２４】
さらに、裏蓋本体部１２１には、図５に示すように、前記した止ネジ１５０を挿通可能なネジ挿通孔１２１Ｈが、風防１１０の裏蓋固定部１１１Ｇに対向する位置にそれぞれ設けられている。
これらのネジ挿通孔１２１Ｈには、前述したように、止ネジ１５０が挿通され、この止ネジが裏蓋固定部１１１Ｇの固定ネジ孔１１１Ｈに螺合される。これにより、裏蓋１２０および風防１１０は、胴部１３０を挟持した状態で固定される。
また、裏蓋本体部１２１には、図３および図５に示すように、操作部としての操作ボタン１６０の軸が挿通可能な図示しない挿通孔が設けられている。
【００２５】
胴部１３０は、ガラスにより略筒状に形成され、風防１１０の縁部１１１および裏蓋１２０により挟持されている。この時、胴部１３０は、前記したように、風防側パッキン部材１１４および裏蓋側パッキン部材１２４を介して、風防１１０および裏蓋１２０により挟持される。これにより、風防１１０および裏蓋１２０から応力が加わっても、パッキン部材１１４，１２４により吸収され、ガラス製の胴部１３０に大きな応力が加わらず、破損などが防止される。
【００２６】
操作ボタン１６０は、前記したように軸部が挿通孔に挿通され、外装ケース１００の内部に設けられる時計体であるムーブメント２１０に接続されている。この操作ボタン１６０としては、例えばムーブメント２１０に対して進退自在に設けられて進退状態に応じた操作信号をムーブメント２１０の内部に設けられる図示しない制御回路部に出力する構成であってもよく、また、回転可能に設けられて回転状態に応じた操作信号を制御回路部に出力するものであってもよく、その他いかなる操作方法により操作されるものであってもよい。
【００２７】
また、風防１１０およびムーブメント２１０の間には、風防ガラス１１２に対向して文字板１４０が配設されている。この文字板１４０は、例えば合成樹脂などの非磁性部材により形成され、ムーブメント２１０の上面側に固定されている。また、文字板１４０の略中心部には、図示しない指針挿通孔が形成されている。この指針挿通孔には、文字板１４０上に配置された指針１７０の軸が挿通されている。
【００２８】
アンテナ２００は、図１に示すように、磁性体コア２０１と、この磁性体コア２０１に巻装されるコイル２０２とを備え、例えば胴部１３０の内周面に沿って略円弧状に形成されている。このアンテナ２００は、電波（外部無線情報）として所定の標準電波出力局から発信される時刻情報を有する標準電波を受信し、その受信情報をムーブメント２１０に内蔵される図示しない制御回路部に出力する。
【００２９】
ムーブメント２１０は、外装ケース１００の内部に格納され、外装ケース１００内部の所定位置で固定されている。
ムーブメント２１０は、アンテナ２００にて受信した標準電波を処理する図示しない制御回路部と、制御回路部の制御により駆動される図示しないステッピングモータと、このステッピングモータの駆動力により運針される指針１７０（秒針１７１、時針１７３、および分針１７２：図１参照）と、を備えている。そして、ムーブメント２１０は、制御回路部に組み込まれる図示しないカウンタにより時間をカウントし、カウントした時間に応じてステッピングモータに所定のパルス信号を出力して、指針１７０を運針させる。また、ムーブメント２１０は、アンテナ２００にて受信した標準電波の時刻情報に基づいて、ステッピングモータを適宜駆動させ、標準電波の時刻情報に対応した指針位置に指針１７０を移動させる制御をする。
【００３０】
〔電波時計の外装ケースの組立方法〕
次に上述した電波時計１における外装ケース１００の組立方法の一例について説明する。
上述した電波時計１を組み立てる際には、予め、風防１１０の縁部１１１に風防ガラス１１２を装着して風防１１０を組み立てておくとともに、裏蓋１２０の裏蓋本体部１２１にガラス蓋１２２を装着して裏蓋１２０を組み立てておく。この後、風防１１０の風防側保持溝１１１Ｆに風防側パッキン部材１１４を装着し、裏蓋１２０の裏蓋側保持溝１２１Ｇに、裏蓋側パッキン部材１２４を装着する。
【００３１】
次に、風防１１０に対し、指針１７０や文字板１４０が取り付けられたムーブメント２１０を取り付ける。
【００３２】
そして、風防１１０の風防側保持面１１１Ｅに胴部１３０を載置する。この時、風防側当接片１１１Ｄを胴部１３０の内周面に当接させて、胴部１３０を位置決めする。
次に、胴部１３０に裏蓋１２０を被せて、裏蓋１２０および風防１１０により胴部１３０を挟み込む。この時、裏蓋１２０の裏蓋側当接片１２１Ｅを胴部１３０の内周面に当接させる。
この後、裏蓋１２０のネジ挿通孔１２１Ｈから止ネジ１５０を挿通させ、風防１１０の裏蓋固定部１１１Ｇに設けられる固定ネジ孔１１１Ｈに螺合させる。この止ネジ１５０を締付けることにより、胴部１３０が強固に風防１１０および裏蓋１２０により挟持されて固定される。この時、胴部１３０は、風防側パッキン部材１１４および裏蓋側パッキン部材１２４を介して風防１１０および裏蓋１２０に挟持されるため、これらのパッキン部材１１４，１２４が弾性変形することで胴部１３０への負荷が吸収される。
【００３３】
〔電波時計の作用効果〕
上記したように、上記実施の形態の電波時計１では、外装ケース１００は、風防ガラス１１２を備えた風防１１０、この風防１１０に対向する裏蓋１２０、および風防１１０と裏蓋１２０とに挟持される非磁性部材であるガラス製の胴部１３０とを備えている。そして、この外装ケース１００の内部に、標準電波を受信可能なアンテナ２００、アンテナ２００にて受信された標準電波の時刻情報に基づいて時刻設定を実施するとともに、カウンタにてカウントされる時間に基づいて指針１７０を運針させるムーブメント２１０が配設されている。
このため、胴部１３０が非磁性部材により形成されているので、標準電波が阻害されず、アンテナ２００にて良好にこの標準電波を受信することができ、アンテナ２００における受信感度を向上させることができる。また、電波時計１を腕時計として利用し、裏蓋１２０が腕に接触する場合でも、胴部１３０が人体に接触することがないので、例えばＧＰＳ時計など人体により影響を受ける電波を用いた場合でも、胴部１３０から電波を良好に通すことができ、受信感度も良好にすることができる。その他、電波時計１の風防１１０と対向配置される裏蓋１２０を、非磁性部材などにて形成される例えば台などに載置する場合でも、胴部１３０が非磁性部材であるため、この胴部１３０を通して電波を受信することができるので、受信感度をより良好にすることができる。
【００３４】
そして、胴部１３０は、円環状のガラスにより形成されている。
このため、胴部１３０が、例えば略Ｃ字状のガラスなどにより形成される場合に比べて、良好な強度を確保することができる。また、胴部１３０の全周から標準電波を透過させることができ、アンテナの受信感度をより向上させることができる。
【００３５】
また、胴部１３０は、ガラスにて形成されている。
このため、側面から時計内部を視認することができ、また、ガラス特有の高級感により、デザイン性を向上させることができ、意匠性に優れた電波時計１を提供することができる。
【００３６】
さらに、裏蓋１２０は、ガラス製のガラス蓋１２２と、このガラス蓋１２２の外周面を保持する裏蓋本体部１２１を備えている。
このため、アンテナ２００が裏蓋近傍に設けられている場合でも、裏蓋１２０全体が金属などの磁性部材にて形成されている場合に比べて、アンテナ２００の受信感度を良好にできる。
【００３７】
そして、文字板１４０が非磁性部材にて形成されている。
このため、アンテナ２００が文字板１４０に近接して配置される場合でも、文字板１４０が金属製の場合に比べて、文字板１４０により電波受信が阻害されることなく、良好な受信感度を得ることができる。
【００３８】
また、裏蓋１２０の裏蓋本体部１２１は、挿通孔を備え、この挿通孔に操作ボタン１６０の軸が挿通されている。
このため、強度が大きい裏蓋本体部１２１に挿通孔が設けられ、この挿通孔に操作ボタン１６０の軸が挿通されているため、ガラスにて形成される胴部１３０に操作孔を設ける必要がなく、胴部１３０の強度低下を防止することができる。また、裏蓋１２０の金属にて形成される裏蓋本体部１２１に挿通孔を設けることで、裏蓋１２０の耐久性をも低下させることがなく、時計の耐久を良好に維持することができる。
【００３９】
さらに、操作ボタン１６０は非磁性部材にて形成されている。このため、アンテナ２００が操作ボタン１６０の近傍に設けられる場合でも、操作ボタン１６０により電波が阻害されることがないので、アンテナ２００の受信感度をより向上させることができる。
【００４０】
そして、胴部１３０は、風防側パッキン部材１１４および裏蓋側パッキン部材１２４を介して風防１１０および裏蓋１２０に挟持されている。
このため、胴部１３０および風防１１０間、胴部１３０および裏蓋１２０間がパッキン部材１１４，１２４によりシールされ、良好な防水性を得ることができる。また、風防１１０および裏蓋１２０により胴部１３０を挟持する際に、各パッキン部材１１４，１２４が介在することで、胴部１３０が風防１１０および裏蓋１２０に直接当接せず、胴部１３０に加えられる応力もパッキン部材１１４，１２４により分散することができ、外装ケース１００の組立時における胴部１３０の破損を防止することができる。
【００４１】
また、風防側パッキン部材１１４および裏蓋側パッキン部材１２４は、それぞれ互いに対向して設けられる環状の風防側保持溝１１１Ｆおよび裏蓋側保持溝１２１Ｇに沿って設けられている。
このため、各パッキン部材１１４，１２４が、例えば径方向にずれることがなく、良好に風防１１０と胴部１３０との間、裏蓋１２０と胴部１３０との間に配置される。したがって、パッキン部材１１４，１２４のずれによる防水性の低下や強度の低下を防止でき、また外観も良好にすることができる。
【００４２】
さらに、これらパッキン部材１１４，１２４は、断面略円形に形成され、径寸法が風防側保持溝１１１Ｆおよび裏蓋側保持溝１２１Ｇの溝幅寸法と略同一寸法に形成されている。このため、これらパッキン部材１１４，１２４を風防側保持溝１１１Ｆおよび裏蓋側保持溝１２１Ｇに装着させ、風防１１０および裏蓋１２０により胴部１３０を挟持すると、パッキン部材１１４，１２４の径方向への弾性変形が風防側保持溝１１１Ｆおよび裏蓋側保持溝１２１Ｇの溝壁により規制され、軸方向への弾性力を増大させることができる。したがって、胴部１３０への応力付加をより良好に防止することができ、胴部１３０の破損をより確実に防止することができる。
【００４３】
さらには、外装ケース１００は、裏蓋１２０に設けられるネジ挿通孔１２１Ｈから止ネジ１５０を挿通し、風防１１０の裏蓋固定部１１１Ｇの固定ネジ孔１１１Ｈに螺合させることで、胴部１３０を挟持して組み立てられている。
このため、ねじ止めにより裏蓋１２０および風防１１０を確実、かつ強固に固定することができる。この際、上記したように、胴部１３０がパッキン部材１１４，１２４を介して風防１１０および裏蓋１２０に挟持されるため、ねじ止めにより軸方向に大きな応力が加わったとしても、その応力をパッキン部材１１４，１２４で分散することができ、胴部１３０への応力を軽減して破損を防止することができる。
【００４４】
〔他の実施の形態〕
なお、本発明は前述の実施形態に限定されるものではなく、本発明の目的を達成できる範囲での変形、改良等は本発明に含まれるものである。
【００４５】
例えば、上記実施の形態では、駆動制御回路部によりステッピングモータを駆動させる制御をし、指針１７０により時刻を表示させる構成を示したが、これに限定されない。例えば、電波時計は液晶パネルなどの表示領域を備え、駆動制御回路部の制御により、時刻を表示領域に表示させるデジタル表示式の時計であってもよい。
【００４６】
また、アンテナ２００が胴部１３０の内周方向に略沿って配設される例を示したが、例えば、直線状アンテナなど、他の形状のアンテナを外装ケース１００内に配置する構成などとしてもよい。
【００４７】
さらに、胴部１３０がガラスにより形成される例を示したが、例えば合成樹脂などのその他の非磁性部材にて形成されるものであってもよい。また、外部から電波時計１の内部が視認できる透明なガラスにて形成された胴部１３０に限らず、例えば着色されたガラスなどにより形成される構成などとしてもよい。
【００４８】
そして、上記実施の形態では、文字板１４０、操作ボタン１６０が非磁性部材にて形成される例を示したが、金属などの磁性部材にて形成されていてもよい。文字板１４０が金属製の場合、高級感のある時刻表示部に形成でき、時計の意匠性を向上させることができる。なお、文字板１４０が磁性部材にて形成される場合、アンテナ２００を裏蓋１２０のガラス蓋１２２に近接させて配設することで、文字板１４０による電波の阻害の影響を減少させることができる。同様に、操作ボタン１６０が磁性部材にて形成される場合も、この操作ボタン１６０から離れた位置にアンテナ２００を配設することで、電波が阻害されることなく、良好な受信感度を得ることができる。
【００４９】
また、裏蓋１２０の裏蓋本体部１２１に挿通孔を設け、操作ボタン１６０の軸を挿通させる構成としたが、例えば風防１１０の縁部１１１に挿通孔を設け、風防１１０に操作ボタン１６０を設ける構成などとしてもよい。
【００５０】
さらに、上記実施の形態において、胴部１３０がパッキン部材１１４，１２４を介して風防１１０および裏蓋１２０に挟持される構成を例示したが、これに限定されない。すなわち、上記実施の形態では、ねじ止めなどにより、胴部１３０に風防１１０および裏蓋１２０の双方から応力を加える構成としたが、例えば、胴部１３０を風防１１０および裏蓋１２０に接着剤などにより密着固定し、胴部１３０に応力を加えない構成とすることで、胴部１３０の破損を防止することができる。この場合、裏蓋１２０のガラス蓋１２２を裏蓋本体部１２１から着脱できるように構成することで、電池交換などのメンテナンスを可能とすればよい。
【００５１】
また、パッキン部材１１４，１２４が風防側保持溝１１１Ｆおよび裏蓋側保持溝１２１Ｇに装着される例を示したが、例えば胴部１３０の風防１１０に対向する面および裏蓋１２０に対向する面にそれぞれ環状の溝部を形成し、この溝部にパッキン部材１１４，１２４を装着させる構成などとしてもよい。また、パッキン部材１１４，１２４を装着する溝部が設けられない構成であってもよい。
【００５２】
さらには、上記実施の形態では、裏蓋１２０のネジ挿通孔１２１Ｈから止ネジ１５０を挿通させ、固定ネジ孔１１１Ｈに螺合させることで風防１１０と裏蓋１２０とを固定する構成を示したが、例えば上記したように、接着剤などにより風防１１０と裏蓋１２０とを固定してもよく、その他、アンテナ２００における標準電波の受信動作を阻害しない固定方法であれば、いかなる固定方法を用いてもよい。
【００５３】
また、上記において、風防１１０と胴部１３０との間、および裏蓋１２０と胴部１３０との間に緩衝部材としてパッキン部材１１４，１２４を介在させる構成を示したが、これに限らない。例えば緩衝部材として、弾性を有するスポンジ状部材などの他の弾性緩衝部材を介在させる構成としてもよく、この場合、胴部１３０に加わる応力を弾性緩衝部材に吸収させることができる。また、環状の緩衝部材に限らず、風防側保持溝１１１Ｆおよび裏蓋側保持溝１２１Ｇの所定位置に、所定間隔を開けて複数の緩衝部材が設けられる構成などとしてもよい。この場合でも、上記例と同様に、胴部１３０に加わる応力を緩衝部材に吸収させることができる。なお、上記２例では、風防１１０と胴部１３０との間、裏蓋１２０と胴部１３０との間に、それぞれ、防水性の接着剤を充填させるなどすることにより、防水性の低下を防止することができる。
【００５４】
さらに、上記実施の形態では、胴部１３０全体がガラスにて形成される例を示したが、これに限定されない。例えば、胴部１３０の筒両端部が例えば金属などの磁性部材にて形成され、リング状のガラス部材を挟持する構成などとしてもよい。この場合でも、胴部１３０のガラス部材から標準電波を良好に通すことができ、アンテナ２００の受信感度を向上させることができる。
【００５５】
そして、裏蓋１２０は、裏蓋本体部１２１のガラス保持孔１２１Ａに略矩形状のガラス蓋１２２が配設される例を示したが、これに限定されない。
例えば、ガラス蓋１２２は、アンテナ２００に対向して略円弧状に形成されていてもよく、アンテナ２００の形状に応じて適宜対応する形状に形成されていればよい。
【００５６】
さらに、電波（外部無線情報）として標準電波を例示したが、これに限られない。例えば、ＦＭやＧＰＳ、携帯電話にて用いられる電波、あるいはブルーツース（登録商標）や非接触ＩＣカードでの無線情報でもよく、ニュースや天気予報など外部無線情報の内容も限定されない。なお、電波の種類によって、アンテナ２００や制御回路部の構成などは適宜変更されるのは言うまでもない。受信された外部無線情報は、例えば、天気予報であれば、予め設けられた晴れ、曇り、雨といった情報を指針で指し示すように、ステッピングモータによる指針駆動によって表示されてもよく、また、ニュースや株価情報などは液晶表示装置などの電子表示装置によって表示されてもよい。
【００５７】
その他、本発明の実施の際の具体的な構造および手順は、本発明の目的を達成できる範囲で他の構造などに適宜変更できる。
【図面の簡単な説明】
【００５８】
【図１】本発明の一実施の形態に係る電波時計の概略を示す側断面図である。
【図２】前記実施の形態の電波時計の外装ケースの概略を示す斜視図である。
【図３】前記実施の形態の電波時計の外装ケースの分解斜視図である。
【図４】前記実施の形態の電波時計の外装ケースの周部における一部を拡大した断面図である。
【図５】前記実施の形態の電波時計の外装ケースの周部の固定構造を示す断面図である。
【符号の説明】
【００５９】
１…時計としての電波時計、１１０…風防、１１１…縁部、１１１Ｆ…風防側保持溝、１１２…風防ガラス、１１４…風防側パッキン部材、１２０…裏蓋、１２１Ｇ…裏蓋側保持溝、１２４…裏蓋側パッキン部材、１３０…胴部、１４０…文字板、１６０…操作部としての操作ボタン、２００…アンテナ、２１０…時計体としてのムーブメント。
【図１】
2009008496.tif 000003
【図２】
2009008496.tif 000004
【図３】
2009008496.tif 000005
【図４】
2009008496.tif 000006
【図５】
2009008496.tif 000007